(57)【要約】【課題】トナー容器の装着部への着脱時に補給口周辺からトナーが飛散するのを抑制することで、飛散したトナーによって機内や記録媒体が汚染されるのを抑制する。【解決手段】本発明の画像形成装置は、トナー容器１０と装着部９とを備え、トナー容器１０は、トナーの排出口を有する容器本体２１と、排出口を閉止する容器側閉止位置と排出口を開放する容器側開放位置との間で移動する排出シャッター２６と、を備え、装着部９は、トナーの補給口を有する筐体７８と、補給口を閉止する第１閉止位置と補給口を開放する第１開放位置との間で移動する第１補給シャッター８１と、補給口を閉止する第２閉止位置と補給口を開放する第２開放位置との間で移動する第２補給シャッター８３と、を備え、トナー容器１０が装着部９に装着されるのに伴って、第２補給シャッター８３が第２閉止位置から第２開放位置まで移動することを特徴とする。【選択図】図１４
2018146914.tif 000002
【特許請求の範囲】
【請求項１】
トナーを収容するトナー容器と、
前記トナー容器が着脱可能に装着される装着部と、を備え、
前記トナー容器は、
トナーを排出する排出口を有する容器本体と、
前記排出口を閉止する容器側閉止位置と、前記排出口を開放する容器側開放位置と、の間で移動する排出シャッターと、を備え、
前記装着部は、
前記排出口から排出されるトナーを受け入れる補給口を有する筐体と、
前記補給口を閉止する第１閉止位置と、前記補給口を開放する第１開放位置と、の間で移動する第１補給シャッターと、
前記補給口を閉止する第２閉止位置と、前記補給口を開放する第２開放位置と、の間で移動する第２補給シャッターと、を備え、
前記トナー容器が前記装着部に装着されるのに伴って、前記第２補給シャッターが前記第２閉止位置から前記第２開放位置まで移動し、
前記トナー容器が前記装着部に装着された状態で前記排出シャッターが前記容器側閉止位置から前記容器側開放位置まで移動するのに伴って、前記第１補給シャッターが前記第１閉止位置から前記第１開放位置まで移動することを特徴とする画像形成装置。
【請求項２】
前記補給口は、前記筐体の上面に開口され、
前記第１補給シャッターは、前記筐体の上面に沿って回転し、
前記第２補給シャッターは、前記第１補給シャッターに上側から重なっており、前記第１補給シャッターの上面に沿って回転することを特徴とする請求項１に記載の画像形成装置。
【請求項３】
前記第１補給シャッターは、前記筐体に回転可能に支持されており、
前記第２補給シャッターは、前記第１補給シャッターに回転可能に支持されていることを特徴とする請求項２に記載の画像形成装置。
【請求項４】
前記第２補給シャッターは、
前記第２補給シャッターが前記第２閉止位置にある状態で前記補給口を閉止する閉止板と、
前記第２補給シャッターが前記第２閉止位置から前記第２開放位置まで回転する時の回転方向における下流側に向かって前記閉止板から突出している突出板と、を備えていることを特徴とする請求項２又は３に記載の画像形成装置。
【請求項５】
前記装着部は、
前記第１補給シャッターを前記第１閉止位置に付勢する第１付勢部材と、
前記第２補給シャッターを前記第２閉止位置に付勢する第２付勢部材と、を更に備えていることを特徴とする請求項１〜４のいずれか１項に記載の画像形成装置。
【請求項６】
前記排出シャッターの外周面には、押圧リブが設けられ、
前記トナー容器が前記装着部に装着されるのに伴って、前記押圧リブが前記第２補給シャッターを押圧し、前記第２補給シャッターが前記第２閉止位置から前記第２開放位置まで移動することを特徴とする請求項１〜５のいずれか１項に記載の画像形成装置。
【請求項７】
前記排出シャッターは、前記容器側閉止位置と前記容器側開放位置との間で回転し、
前記排出シャッターの外周面には、押圧突起が設けられ、
前記トナー容器が前記装着部に装着された状態で前記排出シャッターが前記容器側閉止位置から前記容器側開放位置まで回転するのに伴って、前記押圧突起が前記第１補給シャッターを押圧し、前記第１補給シャッターが前記第１閉止位置から前記第１開放位置まで移動することを特徴とする請求項１〜６のいずれか１項に記載の画像形成装置。
【請求項８】
前記トナー容器は、前記容器本体の外面に沿って回転するように操作される操作部材を更に備え、
前記排出シャッターは、前記操作部材の回転に伴って回転することを特徴とする請求項７に記載の画像形成装置。
【請求項９】
前記装着部は、前記トナー容器から排出されるトナーを用いてトナー像を形成する現像装置であることを特徴とする請求項１〜８のいずれか１項に記載の画像形成装置。
【請求項１０】
トナーを収容し、画像形成装置の装着部に着脱可能に装着されるトナー容器であって、
トナーを排出する排出口を有する容器本体と、
前記排出口を閉止する容器側閉止位置と、前記排出口を開放する容器側開放位置と、の間で回転軸の周りを回転する排出シャッターと、を備え、
前記排出シャッターの外周面には、押圧突起と、前記回転軸方向において前記押圧突起よりも外側に配置されている押圧リブと、が設けられ、
前記装着部は、
前記排出口から排出されるトナーを受け入れる補給口を有する筐体と、
前記補給口を閉止する第１閉止位置と、前記補給口を開放する第１開放位置と、の間で移動する第１補給シャッターと、
前記補給口を閉止する第２閉止位置と、前記補給口を開放する第２開放位置と、の間で移動する第２補給シャッターと、を備え、
前記トナー容器が前記装着部に装着されるのに伴って、前記押圧リブが前記第２補給シャッターを押圧し、前記第２補給シャッターが前記第２閉止位置から前記第２開放位置まで移動し、
前記トナー容器が前記装着部に装着された状態で前記排出シャッターが前記容器側閉止位置から前記容器側開放位置まで回転するのに伴って、前記押圧突起が前記第１補給シャッターを押圧し、前記第１補給シャッターが前記第１閉止位置から前記第１開放位置まで移動することを特徴とするトナー容器。
【発明の詳細な説明】
【技術分野】
【０００１】
本発明は、画像形成装置と、この画像形成装置に設けられるトナー容器と、に関する。
【背景技術】
【０００２】
従来、プリンター、コピー機、ファクシミリ、複合機等の画像形成装置は、トナーを収容するトナー容器と、このトナー容器が着脱可能に装着される装着部と、を備えている。
【０００３】
例えば、トナー容器は、トナーを排出する排出口と、排出口を開閉するシャッターと、を備えており、装着部は、排出口から排出されるトナーを受け入れる補給口を備えている（特許文献１参照）。
【先行技術文献】
【特許文献】
【０００４】
【特許文献１】特開２０１２−９８７２３号公報
【発明の概要】
【発明が解決しようとする課題】
【０００５】
上記のような画像形成装置では、トナー容器の装着部への着脱時における振動や衝撃などによって補給口周辺からトナーが飛散し、この飛散したトナーによって機内や記録媒体が汚染される恐れがある。
【０００６】
そこで、本発明は、トナー容器の装着部への着脱時に補給口周辺からトナーが飛散するのを抑制することで、飛散したトナーによって機内や記録媒体が汚染されるのを抑制することを目的とする。
【課題を解決するための手段】
【０００７】
本発明に係る画像形成装置は、トナーを収容するトナー容器と、前記トナー容器が着脱可能に装着される装着部と、を備え、前記トナー容器は、トナーを排出する排出口を有する容器本体と、前記排出口を閉止する容器側閉止位置と、前記排出口を開放する容器側開放位置と、の間で移動する排出シャッターと、を備え、前記装着部は、前記排出口から排出されるトナーを受け入れる補給口を有する筐体と、前記補給口を閉止する第１閉止位置と、前記補給口を開放する第１開放位置と、の間で移動する第１補給シャッターと、前記補給口を閉止する第２閉止位置と、前記補給口を開放する第２開放位置と、の間で移動する第２補給シャッターと、を備え、前記トナー容器が前記装着部に装着されるのに伴って、前記第２補給シャッターが前記第２閉止位置から前記第２開放位置まで移動し、前記トナー容器が前記装着部に装着された状態で前記排出シャッターが前記容器側閉止位置から前記容器側開放位置まで移動するのに伴って、前記第１補給シャッターが前記第１閉止位置から前記第１開放位置まで移動することを特徴とする。
【０００８】
前記補給口は、前記筐体の上面に開口され、前記第１補給シャッターは、前記筐体の上面に沿って回転し、前記第２補給シャッターは、前記第１補給シャッターに上側から重なっており、前記第１補給シャッターの上面に沿って回転しても良い。
【０００９】
前記第１補給シャッターは、前記筐体に回転可能に支持されており、前記第２補給シャッターは、前記第１補給シャッターに回転可能に支持されていても良い。
【００１０】
前記第２補給シャッターは、前記第２補給シャッターが前記第２閉止位置にある状態で前記補給口を閉止する閉止板と、前記第２補給シャッターが前記第２閉止位置から前記第２開放位置まで回転する時の回転方向における下流側に向かって前記閉止板から突出している突出板と、を備えていても良い。
【００１１】
前記装着部は、前記第１補給シャッターを前記第１閉止位置に付勢する第１付勢部材と、前記第２補給シャッターを前記第２閉止位置に付勢する第２付勢部材と、を更に備えていても良い。
【００１２】
前記排出シャッターの外周面には、押圧リブが設けられ、前記トナー容器が前記装着部に装着されるのに伴って、前記押圧リブが前記第２補給シャッターを押圧し、前記第２補給シャッターが前記第２閉止位置から前記第２開放位置まで移動しても良い。
【００１３】
前記排出シャッターは、前記容器側閉止位置と前記容器側開放位置との間で回転し、前記排出シャッターの外周面には、押圧突起が設けられ、前記トナー容器が前記装着部に装着された状態で前記排出シャッターが前記容器側閉止位置から前記容器側開放位置まで回転するのに伴って、前記押圧突起が前記第１補給シャッターを押圧し、前記第１補給シャッターが前記第１閉止位置から前記第１開放位置まで移動しても良い。
【００１４】
前記トナー容器は、前記容器本体の外面に沿って回転するように操作される操作部材を更に備え、前記排出シャッターは、前記操作部材の回転に伴って回転しても良い。
【００１５】
前記装着部は、前記トナー容器から排出されるトナーを用いてトナー像を形成する現像装置であっても良い。
【００１６】
本発明に係るトナー容器は、トナーを収容し、画像形成装置の装着部に着脱可能に装着されるトナー容器であって、トナーを排出する排出口を有する容器本体と、前記排出口を閉止する容器側閉止位置と、前記排出口を開放する容器側開放位置と、の間で回転軸の周りを回転する排出シャッターと、を備え、前記排出シャッターの外周面には、押圧突起と、前記回転軸方向において前記押圧突起よりも外側に配置されている押圧リブと、が設けられ、前記装着部は、前記排出口から排出されるトナーを受け入れる補給口を有する筐体と、前記補給口を閉止する第１閉止位置と、前記補給口を開放する第１開放位置と、の間で移動する第１補給シャッターと、前記補給口を閉止する第２閉止位置と、前記補給口を開放する第２開放位置と、の間で移動する第２補給シャッターと、を備え、前記トナー容器が前記装着部に装着されるのに伴って、前記押圧リブが前記第２補給シャッターを押圧し、前記第２補給シャッターが前記第２閉止位置から前記第２開放位置まで移動し、前記トナー容器が前記装着部に装着された状態で前記排出シャッターが前記容器側閉止位置から前記容器側開放位置まで回転するのに伴って、前記押圧突起が前記第１補給シャッターを押圧し、前記第１補給シャッターが前記第１閉止位置から前記第１開放位置まで移動しても良い。
【発明の効果】
【００１７】
本発明によれば、トナー容器の着脱時に補給口周辺からトナーが飛散するのを抑制することで、飛散したトナーによって機内や記録媒体が汚染されるのを抑制することが可能となる。
【図面の簡単な説明】
【００１８】
【図１】本発明の一実施形態に係るプリンターを示す模式図である。
【図２】本発明の一実施形態に係るトナーコンテナを示す斜視図である。
【図３】本発明の一実施形態に係るトナーコンテナを示す断面図である。
【図４】本発明の一実施形態に係るトナーコンテナにおいて、操作部材が第１の操作位置にあり、排出シャッターが容器側閉止位置にある状態を示す斜視図である。
【図５】本発明の一実施形態に係るトナーコンテナにおいて、操作部材が第２の操作位置にあり、排出シャッターが容器側開放位置にある状態を示す斜視図である。
【図６】本発明の一実施形態に係る現像装置を示す斜視図である。
【図７】本発明の一実施形態に係る筐体、第１コイルバネ及び第２コイルバネを示す斜視図である。
【図８】本発明の一実施形態に係る現像装置において、第１補給シャッターが第１閉止位置にあり、第２補給シャッターが第２閉止位置にある状態を示す平面図である。
【図９】本発明の一実施形態に係る現像装置において、第１補給シャッターが第１閉止位置にあり、第２補給シャッターが第２開放位置にある状態を示す平面図である。
【図１０】本発明の一実施形態に係る現像装置において、第１補給シャッターが第１開放位置にあり、第２補給シャッターが第２開放位置にある状態を示す平面図である。
【図１１】本発明の一実施形態に係る第１補給シャッター及び第１コイルバネを示す斜視図である。
【図１２】本発明の一実施形態に係る第２補給シャッター及び第２コイルバネを示す斜視図である。
【図１３】本発明の一実施形態に係る現像装置において、第１補給シャッターが第１閉止位置にあり、第２補給シャッターが第２閉止位置にある状態を模式的に示す断面図である。
【図１４】本発明の一実施形態に係る現像装置において、第１補給シャッターが第１閉止位置にあり、第２補給シャッターが第２開放位置にある状態を模式的に示す断面図である。
【図１５】本発明の一実施形態に係る現像装置において、第１補給シャッターが第１開放位置にあり、第２補給シャッターが第２開放位置にある状態を模式的に示す断面図である。
【発明を実施するための形態】
【００１９】
以下、本発明の一実施形態について、図面を参照しつつ説明する。
【００２０】
まず、プリンター１（画像形成装置の一例）の全体の構成について説明する。以下、説明の便宜上、図１における左側をプリンター１の前側と定義する。なお、各図に適宜付される矢印Ｆｒ、Ｒｒ、Ｌ、Ｒ、Ｕ、Ｌｏは、それぞれプリンター１の前側、後側、左側、右側、上側、下側を示している。
【００２１】
図１を参照して、プリンター１は、箱型形状のプリンター本体２（装置本体の一例）を備えている。プリンター本体２の下部には、用紙Ｓ（記録媒体の一例）を収納する給紙カセット３が収容されている。プリンター本体２の上面には排紙トレイ４が設けられている。プリンター本体２の上部には、排紙トレイ４の下側に露光器５が収容されている。
【００２２】
プリンター本体２の内部には、用紙Ｓの搬送経路Ｐが設けられている。搬送経路Ｐの上流端部には、給紙部６が設けられている。搬送経路Ｐの中流部には、画像形成部７が設けられている。画像形成部７は、感光体ドラム８と現像装置９（装着部の一例）を有する。現像装置９の前上側には、トナーコンテナ１０（トナー容器の一例）が設けられている。トナーコンテナ１０は、現像装置９に着脱可能に装着されている。搬送経路Ｐの下流部には、定着装置１１が設けられている。
【００２３】
次に、このような構成を備えたプリンター１の動作について説明する。
【００２４】
まず、露光器５からのレーザー光（図１の二点鎖線参照）により感光体ドラム８上に静電潜像が形成される。次に、トナーコンテナ１０から排出されるトナーを用いて現像装置９が感光体ドラム８上の静電潜像を現像し、トナー像を形成する。これにより、画像形成動作が完了する。
【００２５】
一方、給紙部６によって給紙カセット３から取り出された用紙Ｓは、上記した画像形成動作とタイミングを合わせて画像形成部７へと搬送され、この画像形成部７において上記のトナー像が感光体ドラム８から用紙Ｓに転写される。トナー像を転写された用紙Ｓは、搬送経路Ｐを下流側へと搬送されて定着装置１１に進入し、この定着装置１１において用紙Ｓにトナー像が定着される。トナー像が定着された用紙Ｓは、搬送経路Ｐの下流端部から排紙トレイ４に排出される。
【００２６】
次に、トナーコンテナ１０について更に説明する。
【００２７】
図２以降の各図に適宜付される矢印Ｏは、トナーコンテナ１０の左右方向外側を示し、図２以降の各図に適宜付される矢印Ｉは、トナーコンテナ１０の左右方向内側を示している。
【００２８】
図２、図３を参照して、トナーコンテナ１０は、容器本体２１と、容器本体２１の中央部に収容される撹拌部材２２と、容器本体２１の後下部に収容される搬送部材２３と、容器本体２１の右端側に配置される伝達部材２４、操作部材２５及び排出シャッター２６と、を備えている。なお、図４、図５では、伝達部材２４が省略されている。
【００２９】
図２、図３を参照して、トナーコンテナ１０の容器本体２１は、収容部３１と、収容部３１の上側に設けられる蓋部３２と、収容部３１の右側部の後下側に設けられるダクト部３３と、を備えている。
【００３０】
容器本体２１の収容部３１は、左右方向に長い形状を成している。収容部３１は、上側が開放された箱型を成している。収容部３１の内部には、トナー（現像剤）を収容する収容空間３５が設けられている。
【００３１】
容器本体２１の蓋部３２は、左右方向に長い形状を成している。蓋部３２は、下側が開放された箱型を成している。蓋部３２の下端部は、収容部３１の上端部に固定されている。これにより、収容部３１と蓋部３２が一体化されている。
【００３２】
図３を参照して、容器本体２１のダクト部３３は、左右方向に沿って延びる円筒状を成している。ダクト部３３は、収容部３１と一体に成型されている。ダクト部３３の内部には、連通空間４０が設けられている。連通空間４０は、左右方向に沿って延びている円柱状の空間である。連通空間４０の左端部（左右方向内側の端部）には内側開口４１が形成され、この内側開口４１を介して連通空間４０が収容部３１の収容空間３５と連通している。連通空間４０の右端部（左右方向外側の端部）には外側開口４２が形成されている。
【００３３】
容器本体２１のダクト部３３の底部には、連通空間４０からトナーを排出する排出口４４が設けられている。排出口４４は、連通空間４０の下側に設けられており、連通空間４０と連通している。ダクト部３３の底面には、排出口４４の外周にシール片４５が固定されている。
【００３４】
図２を参照して、トナーコンテナ１０の撹拌部材２２は、容器本体２１の収容部３１に収容されている。撹拌部材２２は、左右方向に沿って延びている撹拌軸４７と、撹拌軸４７に取り付けられている撹拌羽根４８と、を備えている。撹拌羽根４８は、例えば樹脂製のフィルムによって構成されており、可撓性を有している。
【００３５】
図３を参照して、トナーコンテナ１０の搬送部材２３は、左右方向に沿って延びている回転軸Ｘの周りを回転可能に設けられている。つまり、本実施形態では、左右方向が搬送部材２３の回転軸方向である。なお、図３に付される矢印Ｙは、搬送部材２３がトナーを搬送する方向（以下、「搬送方向Ｙ」と称する）を示している。搬送方向Ｙは、左側（収容空間３５側）から右側（排出口４４側）に向かう方向である。
【００３６】
搬送部材２３は、左右方向に沿って延びている搬送軸５０と、搬送軸５０の外周面から突出している螺旋状の搬送フィン５１と、搬送フィン５１の右側（搬送方向Ｙにおける下流側）において搬送軸５０の外周面から突出している螺旋状の戻しフィン５２と、戻しフィン５２の右側（搬送方向Ｙにおける下流側）において搬送軸５０の外周面から突出しているフランジ５３と、フランジ５３の右側（搬送方向Ｙにおける下流側）において搬送軸５０の外周面に固定されている搬送ギア５４と、を備えている。
【００３７】
搬送部材２３の搬送軸５０は、搬送方向Ｙに沿って延びている。搬送軸５０の左端部は、収容部３１の左側壁３１Ｌに軸支されている。搬送軸５０の左端部から左右方向中央部にわたる部分は、収容部３１の収容空間３５に収容されている。搬送軸５０の右側部は、ダクト部３３の連通空間４０に収容されている。搬送軸５０の右端部は、容器本体２１の外部に配置されている。
【００３８】
搬送部材２３の搬送フィン５１は、ダクト部３３の排出口４４の左右方向中央部よりも左側（搬送方向Ｙにおける上流側）に配置されている。搬送フィン５１は、収容部３１の収容空間３５とダクト部３３の連通空間４０とに収容されている。
【００３９】
搬送部材２３の戻しフィン５２は、ダクト部３３の排出口４４の左右方向中央部よりも右側（搬送方向Ｙにおける下流側）に配置されている。戻しフィン５２は、ダクト部３３の連通空間４０に収容されている。戻しフィン５２の螺旋の向きは、搬送フィン５１の螺旋の向きとは逆である。
【００４０】
搬送部材２３のフランジ５３は、ダクト部３３の排出口４４の左右方向中央部よりも右側（搬送方向Ｙにおける下流側）に配置されている。フランジ５３は、ダクト部３３の連通空間４０に収容されている。搬送部材２３の搬送ギア５４は、容器本体２１の外部に配置されている。
【００４１】
図２を参照して、トナーコンテナ１０の伝達部材２４は、円環状のベース部５６と、ベース部５６の中央部から左側（左右方向内側）に向かって突出している連結部５７と、ベース部５６の中央部から右側（左右方向外側）に向かって突出しているカップリング部５８と、を備えている。
【００４２】
伝達部材２４のベース部５６は、容器本体２１の外部に配置されている。ベース部５６の外周面には、伝達ギア５９が設けられている。伝達ギア５９は、搬送部材２３の搬送ギア５４（図３参照）に噛み合っている。これにより、伝達部材２４が搬送部材２３に接続されている。
【００４３】
図２を参照して、伝達部材２４の連結部５７は、収容部３１の右側壁３１Ｒを貫通している。これにより、伝達部材２４が収容部３１に回転可能に支持されている。連結部５７の左端部は、収容部３１の収容空間３５に挿入されており、撹拌部材２２の撹拌軸４７の右端部に連結されている。これにより、伝達部材２４が撹拌部材２２に連結されている。
【００４４】
伝達部材２４のカップリング部５８は、駆動カップリング及び駆動ギア列（いずれも図示せず）を介して、モーターなどによって構成される駆動源６０に接続されている。
【００４５】
図４、図５を参照して、トナーコンテナ１０の操作部材２５は、容器本体２１の外部に配置されている。操作部材２５は、収容部３１の右側壁３１Ｒに回転可能に支持されており、第１の操作位置（図４参照）と第２の操作位置（図５参照）との間で収容部３１の右側壁３１Ｒの右面（外面）に沿って回転可能に設けられている。
【００４６】
操作部材２５は、円環状の本体部６１と、本体部６１の外周面から上側に向かって直線状に延びる被操作部６２と、を備えている。本体部６１の外周面には、駆動ギア６３が設けられている。
【００４７】
図３を参照して、トナーコンテナ１０の排出シャッター２６は、外筒部６５と、外筒部６５の右端部（左右方向外側の端部）の径方向内側（回転軸Ｘに接近する側）に設けられている内筒部６６と、外筒部６５及び内筒部６６の右側（左右方向外側）に設けられているケース部６７と、を備えている。
【００４８】
排出シャッター２６の外筒部６５は、回転軸Ｘを中心とする円筒状を成している。外筒部６５の底部には、連通口６８が設けられている。外筒部６５は、ダクト部３３の外周に回転可能に装着されている。これにより、ダクト部３３の排出口４４と連通口６８の連通を遮断してダクト部３３の排出口４４を閉止する容器側閉止位置（図４参照）と、ダクト部３３の排出口４４と連通口６８を連通させてダクト部３３の排出口４４を開放する容器側開放位置（図５参照）と、の間で排出シャッター２６が回転軸Ｘ（図３参照）の周りを回転可能となっている。前述のように、回転軸Ｘは左右方向に沿って延びているため、本実施形態では、左右方向が排出シャッター２６の回転軸方向である。
【００４９】
図４、図５を参照して、排出シャッター２６の外筒部６５の外周面には、従動ギア６９が設けられている。従動ギア６９は、操作部材２５の駆動ギア６３と噛み合っている。これにより、排出シャッター２６が操作部材２５に接続されている。排出シャッター２６の外筒部６５の外周面には、押圧突起７０が設けられている。押圧突起７０は、側面視で略三角形状を成している。
【００５０】
図３を参照して、排出シャッター２６の内筒部６６は、回転軸Ｘを中心とする円筒状を成している。内筒部６６は、搬送部材２３の搬送軸５０の右側部を軸支している。
【００５１】
排出シャッター２６のケース部６７は、外筒部６５の右端部（左右方向外側の端部）と内筒部６６の右端部（左右方向外側の端部）を連結している。ケース部６７は、搬送部材２３の搬送ギア５４を収容している。図２を参照して、ケース部６７の外周面には、押圧リブ７１が設けられている。押圧リブ７１は、ケース部６７の外周面に沿って円弧状に湾曲している。押圧リブ７１は、外筒部６５の押圧突起７０よりも右側（左右方向外側）に配置されている。
【００５２】
次に、現像装置９について更に説明する。
【００５３】
図６を参照して、現像装置９は、筐体７８と、筐体７８に収容されている前後一対の撹拌パドル７９と、前後一対の撹拌パドル７９の後下側に設けられる現像ローラー８０と、筐体７８の上面に沿って設けられる第１補給シャッター８１と、第１補給シャッター８１の右側部の下側に設けられる第１コイルバネ８２（第１付勢部材の一例）と、第１補給シャッター８１の上面に沿って設けられる第２補給シャッター８３と、第２補給シャッター８３の右端部の下側に設けられる第２コイルバネ８４（第２付勢部材の一例）と、を備えている。
【００５４】
現像装置９の筐体７８は、左右方向に長い形状を成している。筐体７８の内部空間８９には、トナーが収容されている。筐体７８の後面には、筐体７８の内部空間８９と連通する開口部９１が設けられている。筐体７８の上壁９０の上面には、筐体７８の内部空間８９と連通する補給口９２が開口されている。
【００５５】
図７を参照して、筐体７８の上壁９０の上面には、補給口９２の左側に第１保持部９３が設けられている。第１保持部９３の後端部には、第１当接部９４が設けられている。筐体７８の上壁９０には、補給口９２の右側に第１穴部９５が設けられている。
【００５６】
筐体７８の上壁９０の上面には、補給口９２の右側に第２保持部９７が設けられている。第２保持部９７の後端部には、第２当接部９８が設けられている。第２保持部９７の前側には、凹部９９が設けられている。筐体７８の上壁９０には、第２保持部９７の右側に第２穴部１００が設けられている。
【００５７】
図６を参照して、現像装置９の各撹拌パドル７９は、左右方向に長い形状を成している。各撹拌パドル７９は、筐体７８に回転可能に支持されており、筐体７８の内部空間８９に収容されたトナーを回転しながら撹拌するように構成されている。
【００５８】
現像装置９の現像ローラー８０は、左右方向に長い形状を成している。現像ローラー８０は、筐体７８に回転可能に支持されており、筐体７８の内部空間８９に収容されたトナーを回転しながら感光体ドラム８に供給するように構成されている。
【００５９】
図８〜図１０を参照して、現像装置９の第１補給シャッター８１の左端側には第１支軸１０１が設けられており、この第１支軸１０１を中心に回転可能となるように第１補給シャッター８１が筐体７８の上壁９０に支持されている。これにより、第１補給シャッター８１は、筐体７８の補給口９２を閉止する第１閉止位置（図８、図９参照）と、筐体７８の補給口９２を開放する第１開放位置（図１０参照）と、の間で筐体７８の上壁９０の上面に沿って回転可能に設けられている。
【００６０】
図１１を参照して、第１補給シャッター８１は、第１アーム板１０２と、第１アーム板１０２の右側に設けられている第１閉止板１０３と、第１閉止板１０３の左下側に設けられている第１当接片１０４と、第１閉止板１０３の右下側に設けられている第１ガイド片１０５と、を備えている。
【００６１】
第１補給シャッター８１の第１アーム板１０２は、左右方向に長い形状を成している。第１アーム板１０２の左端部（長手方向一端部）は、前述の第１支軸１０１に係合している。
【００６２】
第１補給シャッター８１の第１閉止板１０３は、第１アーム板１０２の右端部（長手方向他端部）から右側に向かって延びている。第１閉止板１０３は、第１補給シャッター８１が第１閉止位置（図８、図９参照）にある状態で、筐体７８の補給口９２を閉止する部分である。
【００６３】
図１１を参照して、第１補給シャッター８１の第１ガイド片１０５は、正面視でＬ字状を成している。第１ガイド片１０５は、筐体７８の上壁９０に設けられた第１穴部９５に係合している。これにより、筐体７８の上壁９０の上面からの第１補給シャッター８１の浮き上がりが抑制されている。
【００６４】
図７を参照して、現像装置９の第１コイルバネ８２は、筐体７８の第１保持部９３に保持されている。第１コイルバネ８２の後端部は、第１保持部９３の第１当接部９４に当接している。図１１を参照して、第１コイルバネ８２の前端部は、第１補給シャッター８１の第１当接片１０４に当接している。第１コイルバネ８２は、第１補給シャッター８１を第１閉止位置（図８、図９参照）に付勢している。
【００６５】
図６を参照して、現像装置９の第２補給シャッター８３は、第１補給シャッター８１に上側から重なっている。第２補給シャッター８３の下面は、第１補給シャッター８１の上面に接触している。
【００６６】
図８〜図１０を参照して、第２補給シャッター８３の左端側には第２支軸１０６が設けられており、第２支軸１０６は第１補給シャッター８１の第１アーム板１０２に取り付けられている。これにより、第２支軸１０６を中心に回転可能となるように第２補給シャッター８３が第１補給シャッター８１に支持されている。第２補給シャッター８３は、筐体７８の補給口９２を閉止する第２閉止位置（図８参照）と、筐体７８の補給口９２を開放する第２開放位置（図９、図１０参照）と、の間で第１補給シャッター８１の第１アーム板１０２の上面に沿って回転可能に設けられている。なお、図１２に付される矢印Ｒは、第２補給シャッター８３が第２閉止位置から第２開放位置まで回転する時の回転方向（以下、「回転方向Ｒ」と称する）を示している。
【００６７】
図１２を参照して、第２補給シャッター８３は、第２アーム板１０７と、第２アーム板１０７の右側に設けられている第２閉止板１０８（閉止板の一例）と、第２閉止板１０８の前下側に設けられている第２当接片１０９と、第２閉止板１０８の右下側に設けられている第２ガイド片１１０と、第２閉止板１０８の後側に設けられている突出板１１１と、を備えている。
【００６８】
第２補給シャッター８３の第２アーム板１０７は、左右方向に長い形状を成している。第２アーム板１０７の左端部（長手方向一端部）は、前述の第２支軸１０６に係合している。
【００６９】
第２補給シャッター８３の第２閉止板１０８は、第２アーム板１０７の右端部（長手方向他端部）から右側に向かって延びている。第２閉止板１０８は、第２補給シャッター８３が第２閉止位置（図８参照）にある状態で、筐体７８の補給口９２を閉止する部分である。
【００７０】
図１２を参照して、第２補給シャッター８３の第２ガイド片１１０は、正面視でＬ字状を成している。第２ガイド片１１０は、筐体７８の上壁９０に設けられた第２穴部１００に係合している。これにより、筐体７８の上壁９０の上面からの第２補給シャッター８３の浮き上がりが抑制されている。
【００７１】
第２補給シャッター８３の突出板１１１は、第２閉止板１０８から後側（回転方向Ｒにおける下流側）に向かって突出している。回転方向Ｒにおける突出板１１１の幅は、回転方向Ｒにおける第２閉止板１０８の幅よりも広い。
【００７２】
図７を参照して、現像装置９の第２コイルバネ８４は、筐体７８の第２保持部９７に保持されている。第２コイルバネ８４の後端部は、第２保持部９７の第２当接部９８に当接している。図１２を参照して、第２コイルバネ８４の前端部は、第２補給シャッター８３の第２当接片１０９に当接している。第２コイルバネ８４は、第２補給シャッター８３を第２閉止位置（図８参照）に付勢している。
【００７３】
次に、トナーコンテナ１０からトナーを排出する動作について説明する。
【００７４】
図２を参照して、トナーコンテナ１０からトナーを排出する際には、駆動源６０が駆動する。このように駆動源６０が駆動すると、駆動源６０からの回転駆動力が伝達部材２４によって撹拌部材２２に伝達され、撹拌部材２２が回転する。これに伴って、撹拌部材２２の撹拌羽根４８が収容部３１の収容空間３５に収容されたトナーを撹拌する。
【００７５】
また、上記のように駆動源６０が駆動すると、駆動源６０からの回転駆動力が伝達部材２４によって搬送部材２３に伝達され、搬送部材２３が回転する。図３を参照して、このように搬送部材２３が回転すると、搬送部材２３の搬送フィン５１が収容部３１の収容空間３５に収容されたトナーを搬送方向Ｙに沿って搬送し、ダクト部３３の連通空間４０に導入する。ダクト部３３の連通空間４０に導入されたトナーは、ダクト部３３の排出口４４から排出される。なお、ダクト部３３の排出口４４の上側を通過して連通空間４０における排出口４４よりも右側の領域（搬送方向Ｙにおける下流側の領域）に導入されたトナーは、搬送部材２３の戻しフィン５２によって左側（搬送方向Ｙにおける上流側）へと戻されて、ダクト部３３の排出口４４から排出される。このようにしてダクト部３３の排出口４４から排出されたトナーは、現像装置９の筐体７８に設けられた補給口９２に受け入れられて、現像装置９に補給される。
【００７６】
次に、トナーコンテナ１０を現像装置９にセットする動作について説明する。
【００７７】
トナーコンテナ１０が現像装置９から取り外された状態では、図４に示されるように、操作部材２５が第１の操作位置にあり、排出シャッター２６が容器側閉止位置にある。そのため、排出シャッター２６がダクト部３３の排出口４４を閉止している。また、図８、図１３に示されるように、第１コイルバネ８２の付勢力によって第１補給シャッター８１が第１閉止位置にあり、第１補給シャッター８１が筐体７８の補給口９２を閉止している。また、第２コイルバネ８４の付勢力によって第２補給シャッター８３が第２閉止位置にあるため、第２補給シャッター８３が筐体７８の補給口９２を閉止している。
【００７８】
まず、ユーザーやサービスマンなどの作業者は、上側から下側に向かう方向に沿って、トナーコンテナ１０を現像装置９に装着する。これに伴って、図１４に示されるように、排出シャッター２６の押圧リブ７１が筐体７８の凹部９９に挿入され、第２補給シャッター８３の第２当接片１０９を後側に向かって押圧する。この押圧により、図９に示されるように、第２コイルバネ８４の付勢力に抗して第２補給シャッター８３が第２閉止位置から第２開放位置まで回転する。これに伴って、第２補給シャッター８３が筐体７８の補給口９２を開放する。なお、第１補給シャッター８１は、依然として第１閉止位置にあり、筐体７８の補給口９２を閉止している。
【００７９】
次に、作業者は、操作部材２５の被操作部６２を後側に向かって操作する。これに伴って、図５に示されるように、操作部材２５が第１の操作位置から第２の操作位置まで収容部３１の右側壁３１Ｒの右面（外面）に沿って回転する。このように操作部材２５が回転すると、この回転が排出シャッター２６に伝達されて、排出シャッター２６が容器側閉止位置から容器側開放位置まで回転する。これに伴って、排出シャッター２６がダクト部３３の排出口４４を開放する。
【００８０】
また、上記のように排出シャッター２６が容器側閉止位置から容器側開放位置まで回転するのに伴って、図１５に示されるように、排出シャッター２６の押圧突起７０が第１補給シャッター８１の第１閉止板１０３を後側に向かって押圧する。この押圧により、図１０に示されるように、第１コイルバネ８２の付勢力に抗して第１補給シャッター８１が第１閉止位置から第１開放位置まで回転する。これに伴って、第１補給シャッター８１が筐体７８の補給口９２を開放する。そのため、ダクト部３３の排出口４４から排出されたトナーを筐体７８の補給口９２を介して筐体７８の内部空間８９に導入することが可能となる。
【００８１】
次に、トナーコンテナ１０を現像装置９から取り外す動作について説明する。
【００８２】
まず、作業者は、操作部材２５の被操作部６２を前側に向かって操作する。これに伴って、図４に示されるように、操作部材２５が第２の操作位置から第１の操作位置まで収容部３１の右側壁３１Ｒの右面（外面）に沿って回転する。このように操作部材２５が回転すると、この回転が排出シャッター２６に伝達されて、排出シャッター２６が容器側開放位置から容器側閉止位置まで回転する。これに伴って、排出シャッター２６がダクト部３３の排出口４４を閉止する。
【００８３】
また、上記のように排出シャッター２６が容器側開放位置から容器側閉止位置まで回転するのに伴って、図１４に示されるように、排出シャッター２６の押圧突起７０による第１補給シャッター８１の第１閉止板１０３に対する押圧が解除される。これにより、図９に示されるように、第１コイルバネ８２の付勢力によって第１補給シャッター８１が第１開放位置から第１閉止位置まで回転する。これに伴って、第１補給シャッター８１が筐体７８の補給口９２を閉止する。
【００８４】
次に、作業者は、トナーコンテナ１０を現像装置９から取り外す。これに伴って、図１３に示されるように、排出シャッター２６の押圧リブ７１による第２補給シャッター８３の第２当接片１０９に対する押圧が解除される。これにより、図８に示されるように、第２コイルバネ８４の付勢力によって第２補給シャッター８３が第２開放位置から第２閉止位置まで回転する。これに伴って、第２補給シャッター８３が筐体７８の補給口９２を閉止する。
【００８５】
本実施形態では上記のように、トナーコンテナ１０が現像装置９に装着されるのに伴って、第２補給シャッター８３が第２閉止位置から第２開放位置まで回転し、トナーコンテナ１０が現像装置９に装着された状態で排出シャッター２６が容器側閉止位置から容器側開放位置まで回転するのに伴って、第１補給シャッター８１が第１閉止位置から第１開放位置まで回転する。このような構成を採用することで、トナーコンテナ１０の現像装置９への着脱時に筐体７８の補給口９２の周辺からトナーが飛散するのを抑制し、飛散したトナーによって機内や用紙が汚染されるのを抑制することが可能となる。
【００８６】
また、筐体７８の補給口９２は、筐体７８の上壁９０の上面に開口され、第１補給シャッター８１は、筐体７８の上壁９０の上面に沿って回転し、第２補給シャッター８３は、第１補給シャッター８１に上側から重なっており、第１補給シャッター８１の上面に沿って回転する。このような構成を採用することで、筐体７８の補給口９２の周辺からトナーが飛散するのを一層効果的に抑制することが可能となる。
【００８７】
また、第１補給シャッター８１は、筐体７８の上壁９０に回転可能に支持されており、第２補給シャッター８３は、第１補給シャッター８１に回転可能に支持されている。このような構成を採用することで、第１、第２補給シャッター８１、８３をスムーズに回転させることが可能となる。
【００８８】
第２補給シャッター８３は、第２閉止板１０８から後側（回転方向Ｒにおける下流側）に向かって突出している突出板１１１を備えている。このような構成を採用することで、筐体７８の補給口９２の周辺からトナーが飛散するのを一層効果的に抑制することが可能となる。
【００８９】
現像装置９は、第１補給シャッター８１を第１閉止位置に付勢する第１コイルバネ８２と、第２補給シャッター８３を第２閉止位置に付勢する第２コイルバネ８４と、を備えている。このような構成を採用することで、トナーコンテナ１０を現像装置９から取り外す動作に伴って第１、第２補給シャッター８１、８３が筐体７８の補給口９２を自動的に閉止することになる。そのため、筐体７８の補給口９２の周辺からトナーが飛散するのを一層効果的に抑制することが可能となる。
【００９０】
また、排出シャッター２６の外周面に設けられた押圧リブ７１が第２補給シャッター８３を押圧することで、第２補給シャッター８３が第２閉止位置から第２開放位置まで回転する。このような構成を採用することで、簡易な構成によって第２補給シャッター８３を確実に押圧することが可能となる。
【００９１】
また、トナーコンテナ１０が現像装置９に装着された状態で排出シャッター２６が容器側閉止位置から容器側開放位置まで回転するのに伴って、排出シャッター２６の外周面に設けられた押圧突起７０が第１補給シャッター８１を押圧し、第１補給シャッター８１が第１閉止位置から第１開放位置まで回転する。このような構成を採用することで、簡易な構成によって第１補給シャッター８１を確実に押圧することが可能となる。
【００９２】
また、排出シャッター２６は、操作部材２５の回転に伴って回転する。このような構成を採用することで、排出シャッター２６を容易に回転させることが可能となる。
【００９３】
また、本実施形態では、トナーコンテナ１０を現像装置９に直接装着している。このような構成を採用することで、プリンター１の構成を簡易化することが可能となる。
【００９４】
本実施形態では、排出シャッター２６、第１補給シャッター８１及び第２補給シャッター８３が回転する。一方で、他の異なる実施形態では、排出シャッター２６、第１補給シャッター８１及び第２補給シャッター８３のうちの少なくとも一つが直線的に移動しても良い。
【００９５】
本実施形態では、第２補給シャッター８３が第１補給シャッター８１に上側から重なっている。一方で、他の異なる実施形態では、第２補給シャッター８３が第１補給シャッター８１に下側から重なっていても良いし、第２補給シャッター８３が第１補給シャッター８１に重なっていなくても良い。
【００９６】
本実施形態では、排出シャッター２６の押圧リブ７１が押圧突起７０よりも右側（左右方向外側）に配置されている。一方で、他の異なる実施形態では、排出シャッター２６の押圧リブ７１が押圧突起７０よりも左側（左右方向内側）に配置されていても良い。
【００９７】
本実施形態では、トナーコンテナ１０が現像装置９に装着される場合について説明した。一方で、他の異なる実施形態では、中間ホッパーなどの現像装置９以外の構成要素にトナーコンテナ１０が装着されても良い。
【００９８】
本実施形態では、プリンター１に本発明の構成を適用する場合について説明した。一方で、他の異なる実施形態では、コピー機、ファクシミリ、複合機（プリント機能、コピー機能及びファックス機能などを複合的に備えた画像形成装置）等のプリンター１以外の画像形成装置に本発明の構成を適用することも可能である。
【符号の説明】
【００９９】
１  プリンター（画像形成装置の一例）
９  現像装置（装着部の一例）
１０  トナーコンテナ（トナー容器の一例）
２１  容器本体
２５  操作部材
２６  排出シャッター
４４  排出口
７０  押圧突起
７１  押圧リブ
７８  筐体
８１  第１補給シャッター
８２  第１コイルバネ（第１付勢部材の一例）
８３  第２補給シャッター
８４  第２コイルバネ（第２付勢部材の一例）
９２  補給口
１０８  第２閉止板（閉止板の一例）
１１１  突出板
Ｘ  回転軸
【図１】
2018146914.tif 000003
【図２】
2018146914.tif 000004
【図３】
2018146914.tif 000005
【図４】
2018146914.tif 000006
【図５】
2018146914.tif 000007
【図６】
2018146914.tif 000008
【図７】
2018146914.tif 000009
【図８】
2018146914.tif 000010
【図９】
2018146914.tif 000011
【図１０】
2018146914.tif 000012
【図１１】
2018146914.tif 000013
【図１２】
2018146914.tif 000014
【図１３】
2018146914.tif 000015
【図１４】
2018146914.tif 000016
【図１５】
2018146914.tif 000017